(57)【要約】【課題】多数の画像データを、簡便な処理によって、被写体に因んだ音声データの特性に応じて分類したり、特性が顕著な順番に並べたりして、再生順序に反映させ、興趣性のある再生順序で画像データを再生する。【解決手段】デジタルカメラ１００は、画像データ１０２Ａ〜１０２Ｄ各々に関連付けられた音声データ１０４Ａ〜１０４Ｄの周波数を解析する周波数解析部１０６と、解析された周波数に応じて、話者の性別を含む音声データの特性情報１０８Ａ〜１０８Ｄを判定する音声判定部１１０と、特性情報を１つ以上の画像データ各々に関連付ける関連付け部１１２と、１つ以上の画像データのなかから、各々に関連付けられた特性情報に基づいて、再生対象となる再生対象画像データを選択する画像選択部１１６と、選択された再生対象画像データをＬＣＤ３８０に再生する再生制御部１１８と、を備えることを特徴とする。【選択図】図１
2010119012.tif 000002
【特許請求の範囲】
【請求項１】
１つ以上の画像データ各々に関連付けられた音声データの周波数を解析する周波数解析部と、
前記解析された周波数に応じて、話者の性別を含む前記音声データの特性情報を判定する音声判定部と、
前記特性情報を前記１つ以上の画像データ各々に関連付ける関連付け部と、
前記１つ以上の画像データのなかから、各々に関連付けられた特性情報に基づいて、対象となる再生対象画像データを選択する画像選択部と、
前記選択された再生対象画像データを表示部に再生する再生制御部と、
を備えることを特徴とする画像再生装置。
【請求項２】
請求項１に記載の画像再生装置において、
前記再生制御部は、前記選択された再生対象画像データを、順次切り換えて再生することを特徴とする画像再生装置。
【請求項３】
請求項１または２に記載の画像再生装置において、さらに、
前記１つ以上の画像データ各々に関連付けられた音声データの音量を検出して前記特性情報に付加する音量検出部を備え、
前記再生制御部は、前記検出された音量の昇順または降順に、前記選択された再生対象画像データを再生することを特徴とする画像再生装置。
【請求項４】
請求項１または２に記載の画像再生装置において、
前記再生制御部は、前記解析された周波数の昇順または降順に、前記選択された再生対象画像データを再生することを特徴とする画像再生装置。
【請求項５】
請求項１から４のいずれか１項に記載の画像再生装置において、
前記関連付け部は、前記音声データの特性情報を前記１つ以上の画像データ各々に付加することを特徴とする画像再生装置。
【請求項６】
請求項１から５のいずれか１項に記載の画像再生装置において、
前記関連付け部は、前記音声データの特性情報と、前記１つ以上の画像データ各々との関連付け状態を示す関連付けデータを作成し、該関連付けデータをファイルとして保存することを特徴とする画像再生装置。
【請求項７】
１つ以上の画像データ各々に関連付けられた音声データの周波数を解析する周波数解析部と、
前記解析された周波数に応じて、話者の性別を含む前記音声データの特性情報を判定する音声判定部と、
前記特性情報を前記１つ以上の画像データ各々に関連付ける関連付け部と、
前記１つ以上の画像データのなかから、各々に関連付けられた特性情報に基づいて、再生対象となる再生対象画像データを選択する画像選択部と、
前記選択された再生対象画像データを表示部に再生する再生制御部として画像再生装置を機能させることを特徴とするプログラム。
【発明の詳細な説明】
【技術分野】
【０００１】
本発明は、画像データを再生可能な画像再生装置および画像再生装置で実行可能なプログラムに関するものである。
【背景技術】
【０００２】
デジタルカメラやコンピュータなど、記録媒体に記録されている画像を表示部にてスライドショー再生、もしくは動画（ムービー）再生するとともに、スピーカ等から音声の再生も行う、各種の画像再生装置がある（例えば特許文献１）。特許文献１によれば、画像は、その撮影日付に基づき、その当時流行していた楽曲をＢＧＭ（Back Ground Music）とともにスライドショー再生される。
【０００３】
例えば特許文献２には、音声データ付き画像の音声データを音声認識し、画像の検索に利用する技術が開示されている。
【特許文献１】特開２００６−１６４２２９号公報
【特許文献２】特開２００５−３４６２５９号公報
【発明の開示】
【発明が解決しようとする課題】
【０００４】
ところで、多数の画像データをスライドショー再生するなど、順番に再生する場合、記録日付順、ファイル名順、ランダム再生など、様々な再生順序が考えられる。しかし、日付順やファイル名順に再生すると、再生の順序は常に一定であり、興趣性が低い。一方、ランダムに再生する場合は、再生順序について予測が付かず、再生順序についてのユーザの希望が反映されない。
【０００５】
一方、ユーザの指定する基準に従った順序で再生すれば、興趣が高まると考えられる。とりわけ、画像データに、被写体である人物の声を、ボイスメモなどの音声データとして付加している場合、人物の声を解析して、被写体を、性別その他の特性に分類し、再生順序に反映させれば、興趣性が高まると考えられえる。
【０００６】
しかし特許文献１に記載の技術は、画像データに、撮影日付に基づいて音声データを付与するものであり、音声データがもとより関連付けられている画像データを処理する技術ではない。
【０００７】
また、特許文献２に記載の技術では、画像データに関連付けられた音声データを音声認識して被写体を識別するため、きわめて詳細に画像データを分類でき、再生順序にも反映させられる可能性がある。しかし、音声認識の負荷が高く、画像再生装置の処理能力を大幅に消費してしまう。
【０００８】
本発明は、このような課題に鑑み、多数の画像データを、簡便な処理によって、被写体に因んだ音声データの特性に応じて分類したり、特性が顕著な順番に並べたりして、再生順序に反映させ、興趣性のある再生順序で画像データを再生可能な画像再生装置およびプログラムを提供することを目的としている。
【課題を解決するための手段】
【０００９】
上記課題を解決するために、本発明にかかる画像再生装置の代表的な構成は、１つ以上の画像データ各々に関連付けられた音声データの周波数を解析する周波数解析部と、解析された周波数に応じて、話者の性別を含む音声データの特性情報を判定する音声判定部と、特性情報を１つ以上の画像データ各々に関連付ける関連付け部と、１つ以上の画像データのなかから、各々に関連付けられた特性情報に基づいて、再生対象となる再生対象画像データを選択する画像選択部と、選択された再生対象画像データを表示部に再生する再生制御部と、を備えることを特徴とする。
【００１０】
上記の構成によれば、例えば被写体が女性と判定された画像データを先に再生し、男性と判定された画像データを後で再生することが可能である。このように、多数の画像データを、簡便な処理によって、被写体に因んだ音声データの特性（性別）に応じて分類して、興趣性のある再生順序で画像データを再生可能である。
【００１１】
上記の再生制御部は、選択された再生対象画像データを、順次切り換えて再生してよい。かかる構成によれば、いわゆるスライドショー再生が実行される。
【００１２】
上記の画像再生装置は、さらに、１つ以上の画像データ各々に関連付けられた音声データの音量を検出して特性情報に付加する音量検出部を備え、再生制御部は、検出された音量の昇順または降順に、選択された再生対象画像データを再生してよい。
【００１３】
上記の構成によれば、性別判定された画像データに、さらに音量という特性が与えられ、音量の昇順あるいは降順に画像データを再生可能である。これにより、声の大きい、明るい人物が被写体として写っている画像データを優先的に再生するなどの、興趣のあるスライドショー再生が可能となる。
【００１４】
上記の再生制御部は、解析された周波数の昇順または降順に、選択された再生対象画像データを再生してよい。
【００１５】
上記の構成によれば、性別判定された画像データに、さらに周波数（声色）という特性が与えられ、声色が高い順（周波数の降順）または低い順（周波数の照準）に画像データを再生可能である。これにより、声の高い、明るい人物が被写体として写っている画像データを優先的に再生するなどの、興趣のあるスライドショー再生が可能となる。
【００１６】
上記の関連付け部は、音声データの特性情報を１つ以上の画像データ各々に付加してよい。これにより、音声データの特性情報は、画像データと一体的に保存されることによって、画像データに関連付けられる。
【００１７】
上記の関連付け部は、音声データの特性情報と、１つ以上の画像データ各々との関連付け状態を示す関連付けデータを作成し、関連付けデータをファイルとして保存してもよい。
【００１８】
上記の構成によれば、音声データの特性情報は、関連付けデータを参照することによって、いずれの画像データに関連付けられているかが分かる。
【００１９】
上記課題を解決するために、本発明にかかるプログラムの代表的な構成は、１つ以上の画像データ各々に関連付けられた音声データの周波数を解析する周波数解析部と、解析された周波数に応じて、話者の性別を含む音声データの特性情報を判定する音声判定部と、特性情報を１つ以上の画像データ各々に関連付ける関連付け部と、１つ以上の画像データのなかから、各々に関連付けられた特性情報に基づいて、再生対象となる再生対象画像データを選択する画像選択部と、選択された再生対象画像データを表示部に再生する再生制御部として画像再生装置を機能させることを特徴とする。
【００２０】
上述した画像再生装置における技術的思想に対応する構成要素やその説明は、当該プログラムにも適用可能である。
【発明の効果】
【００２１】
本発明によれば、多数の画像データを、簡便な処理によって、被写体に因んだ音声データの特性に応じて分類したり、特性が顕著な順番に並べたりして、再生順序に反映させ、興趣性のある再生順序で画像データを再生可能である。
【発明を実施するための最良の形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００２３】
（デジタルカメラ）
図１は、本発明による画像再生装置の実施形態であるデジタルカメラのブロック図であり、図２は、図１のデジタルカメラで再生される画像データと、画像データに関連付けられる音声データおよび特性情報を模式的に表す図である。
【００２４】
（周波数解析部）
デジタルカメラ１００は、１つ以上の画像データ１０２Ａ〜１０２Ｄ各々に関連付けられた音声データ１０４Ａ〜１０４Ｄの周波数を解析する周波数解析部１０６を備える。
【００２５】
図２（ａ）では、画像データ１０２Ａ〜１０２Ｄのうち、代表として、相互に関連付けられ、記録媒体３７０に記録されている、画像データ１０２Ａ、音声データ１０４Ａおよび特性情報１０８Ａを例示する。図２（ｂ）は、画像データ１０２Ａ〜１０２Ｄ、音声データ１０４Ａ〜１０４Ｄおよび特性情報１０８Ａ〜の関連付けを示す参照テーブルであり、図１の記録媒体３７０に記録される。これは後述の関連付け部１１２によって生成されるファイルであり、テキストファイルとしてもよい。
【００２６】
画像データ１０２Ａ〜１０２Ｄは、本実施形態では静止画像であるが、動画像としてもよい。画像データ１０２Ａ〜１０２Ｄは本実施形態では、図２（ｂ）のように説明の便宜上４つしか示していないが、その数には制限はない。音声データ１０４Ａ〜１０４Ｄは、例えば、デジタルカメラ１００が静止画像に音声を関連付けて記録するボイスメモ機能によって取得された、ボイスメモとしてよい。なお、ボイスメモ機能における静止画像と音声との関連付けは、静止画像の撮影時に音声を録音して記録することにより行ってもよいし、記録媒体３７０に記録された静止画像を再生している際に音声を録音して記録することにより行ってもよい。
【００２７】
画像データ１０２Ａ〜１０２Ｄのファイルフォーマットは、本実施形態ではＪＰＥＧ（Joint Photographic Experts Group）であるが、その他、ＴＩＦＦ（Tagged Image File Format）、ＧＩＦ（Graphics Interchange Format）、ＰＮＧ（Portable Network Graphics）、ビットマップ（Bitmap）など、あらゆるフォーマットの画像ファイルとしてよい。また、ＪＰＥＧ形式の圧縮データに撮影時の様々な情報を付加したＥｘｉｆ（Exchangeable Image File Format）としてもよい。
【００２８】
音声データ１０４Ａ〜１０４Ｄのファイルフォーマットは、本実施形態ではＷＡＶ（WAVeform Audio Format。音声と画像をまとめて保存するＲＩＦＦ（Resource Interchange File Format）の一種）であるが、ＡＶＩ（Audio Video Interleave。ＲＩＦＦの一種）、ＷＭＡ（Windows（登録商標） Media Audio）、ＭＰ３（MPEG Audio Layer-3）など、あらゆるフォーマットの音声ファイルとしてよい。
【００２９】
（音声判定部）
デジタルカメラ１００は、解析された周波数に応じた話者の性別（男性または女性）を含む、音声データ１０４Ａ〜１０４Ｄの特性情報１０８Ｄ〜１０８Ｄを判定する音声判定部１１０を備える。
【００３０】
音声判定部１１０は、声帯振動の基本周波数として、日本人の平均値を参考にし、例えば、周波数解析部１０６で解析された周波数が、１００〜１５０Ｈｚであれば男声、２２０〜２７０Ｈｚであれば女声、それらの中間であれば子供、と判定してよい。かかる判定基準は自由に変更してよい。
【００３１】
このように、周波数を用いれば、簡便な処理にて性別の判定が可能であるため、音声認識ほどの負荷をかけることなく、性別という、画像データ再生順序の基準となり得る特性を、音声データ１０４Ａ〜１０４Ｄの特性情報１０８Ｄ〜１０８Ｄとして獲得できる。
【００３２】
（音量検出部）
上記のデジタルカメラ１００は、さらに、１つ以上の画像データ１０２Ａ〜１０２Ｄ各々に関連付けられた音声データ１０４Ａ〜１０４Ｄの音量を検出して特性情報１０８Ｄ〜１０８Ｄに付加する音量検出部１１１を備える。
【００３３】
（関連付け部）
デジタルカメラ１００は、特性情報１０８Ｄ〜１０８Ｄを１つ以上の画像データ１０２Ａ〜１０２Ｄ各々に関連付ける関連付け部１１２を備える。
【００３４】
関連付け部１１２は、音声データ１０４Ａ〜１０４Ｄの特性情報１０８Ｄ〜１０８Ｄを１つ以上の画像データ１０２Ａ〜１０２Ｄ各々に付加してよい。この場合、例えば図２（ａ）の特性情報１０８Ａは、画像データ１０２Ａの一部、例えばヘッダ情報としてよい。これにより、音声データ１０４Ａ〜１０４Ｄの特性情報１０８Ｄ〜１０８Ｄは、画像データ１０２Ａ〜１０２Ｄと一体的に保存されることによって、画像データに関連付けられる。
【００３５】
関連付け部１１２は、音声データ１０４Ａ〜１０４Ｄの特性情報１０８Ｄ〜１０８Ｄと、１つ以上の画像データ１０２Ａ〜１０２Ｄ各々との関連付け状態を示す、関連付けデータを作成し、関連付けデータをファイルとして保存してもよい。
【００３６】
図２（ｂ）は、上記の関連付けデータの一例を示す参照テーブル１１４である。参照テーブル１１４が作成される場合、特性情報１０８Ｄ〜１０８Ｄは、画像データ１０２Ａ〜１０２Ｄとは別の独立したファイルとして保存される。
【００３７】
上記の構成によれば、音声データ１０４Ａ〜１０４Ｄの特性情報１０８Ａ〜１０８Ｄは、参照テーブル１１４を参照することによって、画像データ１０２Ａ〜１０２Ｄのいずれに関連付けられているかが分かる。
【００３８】
本実施形態では、関連付け部１１２は、特性情報１０８Ａ〜１０８Ｄを画像データ１０２Ａ〜１０２Ｄに関連付けているが、音声データ１０４Ａ〜１０４Ｄに関連付けてもよい。
【００３９】
（画像選択部）
デジタルカメラ１００は、１つ以上の画像データ１０２Ａ〜１０２Ｄのなかから、各々に関連付けられた特性情報１０８Ａ〜１０８Ｄに基づいて、再生対象となる再生対象画像データを選択（抽出）する画像選択部１１６を備える。
【００４０】
画像選択部１１６による画像選択の方法は、所定のインターフェースによって、ユーザが自由に設定可能である。例えば、画像データ１０２Ａ〜１０２Ｄのうち、男性の画像（画像データ１０２Ａ、１０２Ｂ）のみを選択して再生することも、女性の画像（画像データ１０２Ｃ、１０２Ｄ）のみを選択して再生することも、男女両方の画像（画像データ１０２Ａ〜１０２Ｄ）を選択して再生することも可能である。
【００４１】
（再生制御部）
デジタルカメラ１００は、選択された再生対象画像データを表示部（ＬＣＤ（Liquid Crystal Display）３８０）に再生する再生制御部１１８を備える。再生制御部１１８は、また、再生対象画像データに関連付けられた音声データも、同時に、スピーカ３２０から再生する。
【００４２】
（スライドショー再生）
再生制御部１１８は、選択された再生対象画像データを、順次切り換えて再生する。すなわち、いわゆるスライドショー再生が実行される。各々の再生対象画像の再生時間は、それに関連付けられた音声データの再生時間としてよい。かかる方法によれば、静止画像である再生対象画像の再生時間を設定する必要がない。ただし、再生時間は、音声データの再生時間に関係なく、一定の時間に設定してもよいし、任意の規則によって変化させてもよい。例えば被写体が女性の画像のほうが、男性の画像より再生時間を長くするなどとしてよい。
【００４３】
（性別に応じた再生順序）
上記の構成によれば、多数の画像データを、簡便な処理によって、被写体に因んだ音声データの特性（性別）に応じて分類して、興趣性のある再生順序で画像データを再生可能である。
【００４４】
例えば、結婚式において、多数の人物を撮影しつつ、その人物からのお祝いのメッセージをボイスメモ機能によって記録した場合を考察する。画像データ１０２Ａ〜１０２Ｄとともに音声データ１０４Ａ〜１０４Ｄが得られ、さらに、特性情報１０８Ａ〜１０８Ｄが得られたと仮定する。すると、画像データの再生の順序を、例えば被写体が女性と判定された画像データ１０２Ｃ、１０２Ｄを先に再生し、男性と判定された画像データ１０２Ａ、１０２Ｂを後で再生することが可能である。
【００４５】
（音量に応じた再生順序）
再生制御部１１８は、音量検出部１１１によって検出された音量の昇順または降順に、選択された再生対象画像データを再生してよい。
【００４６】
上記の構成によれば、性別判定された画像データ１０２Ａ〜１０２Ｄに、さらに音量という特性が与えられ、音量の昇順あるいは降順に画像データ１０２Ａ〜１０２Ｄを再生可能である。これにより、声の大きい、明るい人物が被写体として写っている画像データを優先的に再生するなどの、興趣のあるスライドショー再生が可能となる。
【００４７】
例えば上記の、性別に応じた再生順序に、音量に応じた再生順序を組み合わせてもよく、再生制御部１１８を、女性→男声の順番、音量は昇順、という再生順序に設定すれば、画像データ１０２Ｃ、１０２Ｄ、１０２Ａ、１０２Ｂの順序で再生される。
【００４８】
この他、音量の所定の閾値によって画像データを分類し、「声が大きい」「普通」「声が小さい」などのグループに分別し、画像選択部１１６に、いずれかのグループに属する画像データを選択させて再生してもよい。
【００４９】
（声色に応じた再生）
再生制御部１１８は、解析された周波数の昇順または降順に、選択された再生対象画像データを再生してよい。
【００５０】
上記の構成によれば、性別判定された画像データ１０２Ａ〜１０２Ｄに、さらに周波数（声色）という特性が与えられ、声色が高い順（周波数の降順）または低い順（周波数の昇順）に画像データ１０２Ａ〜１０２Ｄを再生可能である。これにより、声の高い、明るい人物が被写体として写っている画像データを優先的に再生するなどの、興趣のあるスライドショー再生が可能となる。
【００５１】
例えば上記の、性別に応じた再生順序に、声音に応じた再生順序を組み合わせてもよく、再生制御部１１８を、女性→男声の順番、周波数は降順（高周波数の明るい声音を有する人物を優先的に再生）、という再生順序に設定すれば、画像データ１０２Ｄ、１０２Ｃ、１０２Ａ、１０２Ｂの順序で再生される。
【００５２】
この他、周波数の所定の閾値によって画像データを分類し、「声音が明るい」「普通」「声音が暗い」などのグループに分別し、画像選択部１１６に、いずれかのグループに属する画像データを選択させて再生してもよい。
【００５３】
（その他の特性による分類および順序付け）
その他、音声データ１０４Ａ〜１０４Ｄの他の特性によって画像データを分類したり、順序付けしたりしてもよいし、画像データ自体の特性によって画像データを分類したり、順序付けしたりしてもよい。例えば画像認識を行い、笑顔と判定された画像データを、表情が明るいグループに分類可能である。
【００５４】
（デジタルカメラ構成）
図３は図１のデジタルカメラの外観の一例を示す図であり、図３（ａ）は正面から見た図、図３（ｂ）は背面から見た図である。図３および図１を用いて、デジタルカメラのその他の構成について、以下、説明する。撮像部２２０はＣＣＤ（Charge Coupled Device; 電荷結合素子）としてよく、被写界を撮像して電子的な画像信号を生成する撮像手段であり、例えば１６００×１２００個の画素を有する。撮像部２２０は、撮像レンズ２１０によって結像された被写体の光像を、画素毎にＲ（赤）、Ｇ（緑）、Ｂ（青）の色成分の画像信号（各画素で受光された画素信号の信号列からなる信号）に光電変換して出力する。
【００５５】
撮像部２２０から得られる画像信号（アナログ信号）は、アナログ信号処理回路２３０に与えられる。アナログ信号処理回路２３０は、画像信号に対して所定のアナログ信号処理を行う回路である。アナログ信号処理回路２３０は、少なくとも相関二重サンプリング回路（Correlated Double Sampling：ＣＤＳ。図示省略）およびオートゲインコントロール（Auto Gain Controlled：ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００５６】
Ａ／Ｄ変換器２４０は、画像信号の各画素信号を、例えば１２ビットのデジタル信号に変換する。変換後のデジタル信号は、中央処理装置（ＣＰＵ: Central Processing Unit）２５０に与えられ、画像データとして一時的にＲＡＭ（Random Access Memory）
２６０に格納される。ＲＡＭ２６０に保存された画像データは、画像処理部２８０によって色補正処理等を施された後、圧縮伸張部２９０による圧縮処理等が施される。
【００５７】
また、指向性マイク３００から得られる環境音などの音声信号は、音声処理部３１０に入力される。音声処理部３１０に入力された音声信号は、音声処理部３１０内に設けられたＡ／Ｄ変換器（図示省略）により、デジタル信号に変換され、一時的にＲＡＭ２６０に格納される。デジタル化された音声信号は、再び音声処理部３１０に送り、スピーカ３２０から再生可能である。
【００５８】
操作部３３０は、電源ボタン３３０Ａ、各種の操作ボタン３３０Ｂ、シャッタレリーズボタン３３０Ｃ等を含み、ユーザがデジタルカメラ１００の設定を変更操作する際や撮像操作を行う際等に用いられる。
【００５９】
ＣＰＵ２５０は、ＲＡＭ２６０およびＲＯＭ（Read Only Memory）３５０に記録された所定のプログラムを実行することにより、上記各部を統括的に制御する。なお、ＲＡＭ２６０は、高速アクセス可能な半導体メモリであり、ＲＯＭ３５０は電気的に書き換えが不可能な不揮発の半導体メモリ（例えばフラッシュＲＯＭ）として構成される。また、ＲＡＭ２６０内における一部の領域は、一時記憶用のバッファエリアとして機能し、画像データおよび音声データを一時的に記憶する。
【００６０】
ＣＰＵ２５０の各処理部２８０、２９０、３１０は、マイクロコンピュータが所定のプログラムを実行することにより実現される、機能部位である。
【００６１】
画像処理部２８０は、ＷＢ（ホワイトバランス）処理、γ補正処理等の各種のデジタル画像処理を施す処理部である。ＷＢ処理は、算出されたホワイトバランス補正値に基づき、Ｒ、Ｇ、Ｂの各色成分のレベル変換を行い、カラーバランスを調整する処理であり、γ補正処理は、画素データの階調を補正する処理である。圧縮伸張部２９０は、画像処理部２８０によって色補正処理等が行われた画像データを、さらに圧縮する。圧縮方式としては、例えばＪＰＥＧ（Joint Photographic Experts Group）方式などが採用される。音声処理部３１０は、音声データに対する各種のデジタル処理を施す処理部である。
【００６２】
このような構成を有するＣＰＵ２５０によって、撮像モード、再生モードの処理が行われる。例えば、撮像モードにおいては、まず撮像部２２０をビューファインダ（ＬＣＤ３８０）画像出力用の動作モードに設定した上で所定周期（例えば３０コマ／秒）の撮像を行い、撮像に応じた画像データを逐次出力する（予備撮像）。撮像部２２０から出力された画像データは、アナログ信号処理回路２３０、Ａ／Ｄ変換器２４０、画像処理部２８０を介してＬＣＤ３８０にビューファインダ画像として表示される。この状態で、シャッタレリーズボタン３３０Ｃがユーザによって半押し（Ｓ１状態）されると、ＣＰＵ２５０は、撮像部２２０から入力される予備撮像の画像データに基づき、ＡＥ（Auto Exposure）評価値およびＡＦ（Auto Focus）評価値を求める。ＣＰＵ２５０はＡＦ評価値に基づいて合焦位置を、公知の例えば山登り方式によって求め、ＡＥ／ＡＦ部３６０を用いて、合焦位置に撮像レンズ２１０を移動させる。また、ＣＰＵ２５０はＡＥ評価値に基づいて、本撮像時のシャッタスピード（撮像部２２０における電荷蓄積時間）、撮像レンズ２１０の絞り値およびアナログ信号処理回路２３０におけるオートゲインコントロールのゲイン値を決定する。
【００６３】
ＣＰＵ２５０は、撮像モードにおいてシャッタレリーズボタン３３０Ｃが全押し（Ｓ２状態）されると、撮像部２２０の動作モードを本撮像用の動作モードに設定した上で被写体を撮像し、撮像部２２０で取得された撮像画像データに基づき、圧縮伸張部２９０で圧縮画像を生成する。そして、圧縮された高解像度の画像データは、記録媒体３７０に記録される。記録媒体３７０は例えばＳＤカード（登録商標）としてよい。
【００６４】
さらに、デジタルカメラ１００は、記録媒体３７０から、デジタルカメラ１００で動作されるプログラムを取り込むことも可能である。例えば、記録媒体３７０に記録される制御プログラムを、ＣＰＵ２５０のＲＡＭ２６０またはＲＯＭ３５０内に取り込むことができる。これにより、制御プログラムを更新することも可能である。
【００６５】
ＬＣＤ３８０は、被写界を表示するほか、ユーザに対する各種メニューを表示し、操作のための情報を提供する表示装置である。フラッシュ３９０は、発光が許可されている状態で撮影補助光を発して被写体を照射する発光装置である。
【００６６】
（プログラム）
本実施形態にかかるプログラムの代表的な構成は、１つ以上の画像データ１０２Ａ〜１０２Ｄ各々に関連付けられた音声データ１０４Ａ〜１０４Ｄの周波数を解析する周波数解析部１０６と、解析された周波数に応じて、話者の性別を含む音声データ１０４Ａ〜１０４Ｄの特性情報１０８Ａ〜１０８Ｄを判定する音声判定部１１０と、特性情報１０８Ａ〜１０８Ｄを１つ以上の画像データ１０２Ａ〜１０２Ｄ各々に関連付ける関連付け部１１２と、１つ以上の画像データ１０２Ａ〜１０２Ｄのなかから、各々に関連付けられた特性情報１０８Ａ〜１０８Ｄに基づいて、再生対象となる再生対象画像データを選択する画像選択部１１６と、選択された再生対象画像データをＬＣＤ３８０で再生する再生制御部１１８としてデジタルカメラ１００を機能させることを特徴とする。
【００６７】
（スライドショー実行プロセス）
図４は図１のＣＰＵ２５０の各要素が行うスライドショー実行プロセスを示すフローチャートであり、図５は図４の性別・声音判断工程Ｓ５００を詳細に表すサブルーチンである。
【００６８】
まず、撮影され、音声データ１０４Ａ〜１０４Ｄと関連付けられた画像データ１０２Ａ〜１０２Ｄに対して、周波数解析部１０６および音声判定部１１０が、性別・声音判断工程Ｓ５００にて性別および声音について判断する。
【００６９】
図５（ａ）に示すように、性別・声音判断工程Ｓ５００は、画像データ数だけ繰り返される。画像データ１０２Ａ〜１０２Ｄに関連付けられた音声データ１０４Ａ〜１０４Ｄの周波数を、周波数解析部１０６が測定し、音声判定部１１０が、性別閾値との大小関係を比較し（ステップＳ６００）、男性または女性と判定する（ステップＳ６０２またはＳ７０２）。音声の周波数が１５０Ｈｚ〜２２０Ｈｚの間である場合は、子供と判定することも可能であるが、本実施形態では、音声判定部１１０は、例えば中央値である１８５Ｈｚを性別閾値とし、男性または女性のいずれかのみに判定している。
【００７０】
以下、男性と判定された場合と、女性と判定された場合の処理は、同様であるため、双方を並行して説明する。図５（ｂ）は、図５（ａ）で用いられる各閾値の大小関係を示す図である。
【００７１】
音声判定部１１０は、さらに、男性または女性と判定された画像データについて、男性高周波閾値または女性高周波閾値と大小関係を比較し（ステップＳ６０４、Ｓ７０４）、それら高周波閾値より大きければ画像データを「明るい」に分類し（ステップＳ６０６、Ｓ７０６）、小さければ、さらに男性低周波閾値または女性低周波閾値と大小関係を比較する（ステップＳ６０８、Ｓ７０８）。音声判定部１１０は、それら低周波閾値より大きければ画像データを「普通」に分類し（ステップＳ６１０、Ｓ７１０）、小さければ「暗い」に分類する（ステップＳ６１２、Ｓ７１２）。
【００７２】
以上のように、ステップＳ５００にて判断された性別、声音の分類は、すべて、特性情報１０８Ａ〜１０８Ｄとして記録媒体３７０に記録され、関連付け部１１２によって画像データ１０２Ａ〜１０２Ｄに関連付けられる。
【００７３】
図４に戻り、音量検出部１１１が音声データ１０４Ａ〜１０４Ｄの音量を検出し（ステップＳ５０２）、これらも特性情報１０８Ａ〜１０８Ｄに含めて記録される。
【００７４】
次に、再生方法をユーザに設定させる（ステップＳ５０４）。すなわち、ＣＰＵ２５０は、男性の画像、女性の画像、両方の画像のいずれを選択するか、それらのうち、「明るい」「普通」「暗い」のいずれのグループに分類された画像データを表示するか等を、所定のインターフェースにより、ユーザに設定させる。また、音量の昇順、降順に再生するなどの設定も、ここで行うことが可能である。
【００７５】
画像選択部１１６は、ユーザの設定に応じて、再生すべき、再生対象画像データを選択する（ステップＳ５０６）。
【００７６】
選択された再生対象画像データが「明るい」「普通」「暗い」のいずれに分類されたものであるかに応じて、再生制御部１１８は、再生対象画像データの再生時に同時に再生するＢＧＭを選定する（ステップＳ５０８）。
【００７７】
最後に、再生制御部１１８は、再生対象画像データを、ステップＳ５０４で設定された再生方法に応じ、また、ステップＳ５０８で選定されたＢＧＭとともに、スライドショー再生する（ステップＳ５１０）。各々の再生対象画像の再生時間は、それに関連付けられた音声データの再生時間としてよい。かかる方法によれば、静止画像である再生対象画像の再生時間を設定する必要がない。
【００７８】
なお、本明細書のスライドショー実行における各工程は、必ずしもフローチャートとして記載された順序に沿って時系列に処理する必要はなく、並列的あるいはサブルーチンによる処理を含んでもよい。
【００７９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８０】
本発明は、画像データを再生可能な画像再生装置および画像再生装置で実行可能なプログラムに利用することができる。
【図面の簡単な説明】
【００８１】
【図１】本発明による画像再生装置の実施形態であるデジタルカメラのブロック図である。
【図２】図１のデジタルカメラで再生される画像データと、画像データに関連付けられる音声データおよび特性情報を模式的に表す図である。
【図３】図１のデジタルカメラの外観の一例を示す図である。
【図４】図１のＣＰＵの各要素が行うスライドショー実行プロセスを示すフローチャートである。
【図５】図４の性別・声音判断工程を詳細に表すサブルーチンである。
【符号の説明】
【００８２】
１００  …デジタルカメラ
１０２Ａ〜１０２Ｄ  …画像データ
１０４Ａ〜１０４Ｄ  …音声データ
１０６  …周波数解析部
１０８Ａ〜１０８Ｄ  …特性情報
１１０  …音声判定部
１１１  …音量検出部
１１２  …関連付け部
１１４  …参照テーブル
１１６  …画像選択部
１１８  …再生制御部
３２０  …スピーカ
３８０  …ＬＣＤ
【図１】
2010119012.tif 000003
【図２】
2010119012.tif 000004
【図３】
2010119012.tif 000005
【図４】
2010119012.tif 000006
【図５】
2010119012.tif 000007